(57)【要約】 【課題】  部品点数の増加を伴わずハーネスを有効に保護することが可能な電気接続構造を提供することを目的とする。【解決手段】  携帯電話２０は操作部２１と、この操作部２１に対してヒンジ軸２７を介して傾動可能に接続された表示部２５とを主体として構成される。ヒンジ軸２７は中空とされ、その内部には、操作部２１と表示部２５との間を電気的に接続する電線Ｌがコネクタ３１と共に挿通されるようになっている。このコネクタ３１の上面は電線Ｌが引き出される電線引きだし面３２とされているが、この電線引きだし面３２のうちヒンジ軸２７に対するコネクタ３１の挿入方向前側には電線保護壁３５が一体的に形成されている。そのため、作業者がヒンジ軸２７に対してコネクタを斜め姿勢で組み付けても、常に、電線保護壁３５が電線Ｌより先にヒンジ軸２７の入り口２７Ａに当たるから、電線Ｌが保護される。【選択図】  図１
2005332739.tif 000002
【特許請求の範囲】
【請求項１】
貫通孔内へハーネスを同ハーネスの端部に接続されたコネクタと共に挿通し、このコネクタによって前記貫通孔の両側に配される第１部材と第２部材とを電気的に接続する電気接続構造であって、
前記コネクタにおける前記ハーネスが引き出された引き出し面には前記貫通孔に対する挿入方向の前部側に、挿入方向と交差する方向に突出するハーネス保護部が一体的に設けられていることを特徴とする電気接続構造。
【請求項２】
前記第１、第２部材同士間は前記貫通孔とされた中空のヒンジ軸によって回動可能に連結されていることを特徴とする請求項１記載の電気接続構造。
【請求項３】
前記ハーネス保護部は前記引き出し面と対向する側が開口していることを特徴とする請求項１又は請求項２に記載の電気接続構造。
【請求項４】
前記コネクタの引き出し面に前記挿入方向に関する全長に亘って延びる案内片が設けられていることを特徴とする請求項１ないし請求項３のいずれかに記載の電気接続構造。
【発明の詳細な説明】
【技術分野】
【０００１】
本発明は、電気接続構造に関する。
【背景技術】
【０００２】
従来より、異なる部品間を架設する筒状の連結部材内にコネクタと共に電線を挿通させ、これを各部品に接続することで、同連結部材を介して繋がれた部品同士を電気的に接続させる接続構造が知られている（特許文献１の第２実施形態）。このものは、フロントピラーとドアとの間に、角筒状のドアチェックカバーを架設するととともに、同ドアチェックカバー内に電線を挿通させて、同電線を介してフロントピラー、すなわち車体側とドア側に取り付けられる電装部品とを電気的に接続している。
【特許文献１】特開２００２−２４９００３公報
【発明の開示】
【発明が解決しようとする課題】
【０００３】
図１２は、ヒンジ軸３を介して繋がれた両部材１、２を電気的に接続するといった使用例であるが、このものでは、コネクタ５から電線が図示上方に引き出されている。そのため、コネクタ５がヒンジ軸３に対して斜め姿勢で差し込まれると、ヒンジ軸３の挿入口３Ａにハーネスの前端部分が干渉したり、或いは噛み込んでしまう虞があった。ハーネスを保護するには、例えば、ハーネスをテープ等で固定しておく等の方策が考えられるが、このような補強方法では部品点数の増加になるし、また、テープ貼りつけのための工数も増加してしまう。
本発明は上記のような事情に基づいて完成されたものであって、部品点数の増加を伴わずハーネスを有効に保護することが可能な電気接続構造を提供することを目的とする。
【課題を解決するための手段】
【０００４】
上記の目的を達成するための手段として、請求項１の発明は、貫通孔内へハーネスを同ハーネスの端部に接続されたコネクタと共に挿通し、このコネクタによって前記貫通孔の両側に配される第１部材と第２部材とを電気的に接続する電気接続構造であって、前記コネクタにおける前記ハーネスが引き出された引き出し面には前記貫通孔に対する挿入方向の前部側に、挿入方向と交差する方向に突出するハーネス保護部が一体的に設けられているところに特徴を有する。
【０００５】
請求項２の発明は、請求項１に記載のものにおいて、前記第１、第２部材同士間は前記貫通孔とされた中空のヒンジ軸によって回動可能に連結されているところに特徴を有する。
【０００６】
請求項３の発明は、請求項１または請求項２に記載のものにおいて、前記ハーネス保護部は前記引き出し面と対向する側が開口しているところに特徴を有する。
【０００７】
請求項４の発明は、請求項１ないし請求項３のいずれかに記載のものにおいて、前記コネクタの引き出し面に前記挿入方向に関する全長に亘って延びる案内片が設けられているところに特徴を有する。
【発明の効果】
【０００８】
＜請求項１の発明＞
請求項１の発明によれば、コネクタを貫通孔内に挿入する際に、ハーネスより先にハーネス保護部が貫通孔内に差し込まれる。そのため、ハーネスが貫通孔の入り口に干渉することがない。また、ハーネス保護部はコネクタと一体的に形成されているため部品点数が増加することもない。
【０００９】
＜請求項２の発明＞
請求項２の発明によれば、第１、第２部材はヒンジ軸を介して回動可能に繋がれ、しかも、両部材を電気的に接続するハーネスはヒンジ軸内を挿通されているから、第１、第２部材を回動動作させる際に、ハーネスが同回動動作の邪魔になることがない。
【００１０】
＜請求項３の発明＞
請求項３の発明によれば、ハーネス保護部は引出し面と対向する側が開口しているから、ハーネスの引き出し方向に関しハーネス保護部の高さを低く設定できる。
【００１１】
＜請求項４の発明＞
請求項４の発明によれば、案内片が挿入ガイドとなるから貫通孔に対するハーネスの挿入動作が円滑となる。
【発明を実施するための最良の形態】
【００１２】
＜実施形態１＞
本発明の実施形態１を図１ないし図５によって説明する。
図１に示す２０は携帯電話であって、操作部２１と表示部２５とを備えてなる。操作部２１と表示部２５はヒンジ軸２７を介して傾動可能に繋がれており、操作部２１と表示部２５の対向面同士が対面する折り畳み姿勢と、操作部２１と表示部２５とがほぼ面一となる通話姿勢との間で変位可能とされている。
尚、操作部２１が本発明の第１部材に相当し、表示部２５が本発明の第２部材に相当するものである。
【００１３】
ヒンジ軸２７は操作部２１に形成される操作部側ヒンジ筒２１Ａ、２１Ｂ及び表示部２５に形成される表示部側ヒンジ筒２５Ａ、２５Ｂよりなる。これらヒンジ筒２１Ａ、２１Ｂ、２５Ａ、２５Ｂは図２に示すように隣り合うヒンジ筒同士が互いに噛み合うようになっており、端部より筒内に差し込まれるヒンジピン２９Ａ、２９Ｂによって分離不能かつ、回動操作可能に保持される。
【００１４】
また、ヒンジ筒２１Ａ、２１Ｂ、２５Ａ、２５Ｂのうち横幅の広く形成されたヒンジ筒２１Ａ、２５Ａの内部には、操作部２１と表示部２５との間を電気的に接続する電線Ｌが電線Ｌの前後両端部に接続されるコネクタ３１、３８と共に挿通されるようになっている。これらヒンジ筒２１Ａ、２５Ａはそれぞれ操作部２１の本体、或いは表示部２５の本体と連通しており、ヒンジ筒２１Ａ、２５Ａ内に差し込まれた各コネクタ３１、３８はそこから操作部２１或いは表示部２５の本体に引き込まれるようになっている（図２参照）。
尚、ヒンジ軸２７に対してコネクタ３１、３８並びに電線Ｌを挿通する際には、図１に示すように、次述するコネクタ３１が先に挿通され、その後にコネクタ３８が挿通されるようになっている。
【００１５】
コネクタ３１はヒンジ軸２７の軸方向に沿った横長なブロック状をなすとともに、図１における上面（ヒンジ軸２７の内壁２７Ｂと向かい合う面）が電線引きだし面（本発明の引きだし面に相当する）３２とされている。電線引きだし面３２における長さ方向の中央部分からは５本の電線Ｌがコネクタ３１の長さ方向に並んだ状態で引き出されている。各電線Ｌは図示上方に引き出された後、コネクタ３１との接続部分に影響が出ない程度の所定の曲率をもって約９０度屈曲され、図１における右奥側に引き出されている。尚、以下の説明において、コネクタの厚さ方向とは図１におけるＲ方向を示すものとし、また、電線Ｌの引きだし方向とは図１における上下方向を示すものとする。
【００１６】
電線引きだし面３２の挿入方向の前側には図１において上方に張り出す電線保護壁（本発明のハーネス保護部に相当する）３５が電線引出し面３２の厚さ方向の全幅に亘って一体形成されている。この電線保護壁３５は電線Ｌの前方を覆っており、張り出し高さは図３に示すように、電線保護壁３５を含めたコネクタ全体がヒンジ軸２７に挿入可能な高さ寸法とされ、かつその上縁が前記所定の曲率をもって屈曲された電線Ｌのうち最も上側に位置する電線Ｌとほぼ同じ高さとなるような寸法設定とされている。
また、電線保護壁３５の挿入方向前方上部３５Ａは弧状に形成されているが、これは、ヒンジ軸２７に対するコネクタ３１の挿入性を考慮したものである（図３参照）。
【００１７】
また、図１に示すように電線引きだし面３２の奥側の縁部には、その全長に亘って案内片３６が立設されている。この案内片３６の高さ寸法は電線保護壁３５の張りだし高さと同じ高さとされ、その端部は電線保護壁３５の後端部分に連続している。案内片３６は電線Ｌのうちコネクタ３１から引き出された部分の側部を覆うようになっており、更に、ヒンジ軸２７に対するコネクタ３１の挿入動作中には、ヒンジ軸２７の内壁２７Ｂに対して摺接してヒンジ軸２７に対するコネクタ３１の差し込み動作を案内するようになっている。
また、これら電線保護壁３５並びに案内片３６には、いずれも電線Ｌの上方を覆うような庇となるものが設けられておらず、電線引きだし面３２と対向する側の面（電線Ｌの上方）が開口している。
【００１８】
一方、コネクタ３８はコネクタ３１と同様に、ヒンジ軸２７の軸方向に沿った横長なブロック状をなすとともに、電線引きだし面からは５本の電線Ｌがコネクタ３１の長さ方向に並んだ状態で引き出されているが（詳細には、図示せず）、電線保護壁３５並びに案内片３６は形成されていない。
【００１９】
次に、本実施形態の作用・効果について具体的に説明する。
操作部２１と表示部２５とを電気的に接続するには、予め、各ヒンジ筒２１Ａ、２１Ｂ、２５Ａ、２５Ｂを噛み合わせた状態（図２の状態）にセットし、更に、図２における左側からヒンジ軸２７内にヒンジピン２９Ｂを差し込んで、操作部２１と表示部２５を仮止め状態としておく。
尚、この状態においては、図１における手前側にはヒンジピン２９Ａが差し込まれておらず、入り口２７Ａが開放された状態にある。
【００２０】
その後、ヒンジ軸２７に対してコネクタ３１を正対させた姿勢にセットして、コネクタ３１と共に電線Ｌをヒンジ軸２７内に図１における手前側より挿入してゆく。すると、ヒンジ軸２７に対しては、図３に示すように電線保護壁３５が挿入され、続いて電線Ｌが挿入されてゆく。その後、コネクタ３１をヒンジ軸２７の奥側に押し込んでゆくと、コネクタ３１は案内片３６の案内作用も手伝って、更に、奥側へと差し込まれてゆく。
【００２１】
やがて、コネクタ３１はヒンジ筒２５Ａを貫通して、ヒンジ筒２１Ａに至る。その後、コネクタ３１をヒンジ筒２１Ａを介して操作部２１内に引き込んでやり、操作部２１に対する接続作業を行う。
【００２２】
コネクタ３１の接続作業が完了したら、今度は、コネクタ３８を電線Ｌとともに、ヒンジ軸２７に差し込んでゆく。そして、コネクタ３８がヒンジ筒２５Ａに達したら、今度は、コネクタ３８をヒンジ筒２５Ａを介して表示部２５内に引き込んでやり、表示部２５に対する接続作業を行う。これにより、操作部２１と表示部２５とがヒンジ軸２７内を挿通される電線Ｌによって電気的に接続されることとなる。その後、ヒンジ軸２７に対して図２における右側よりヒンジピン２９Ａの取り付けを行えば、ヒンジ軸２７の入り口２７Ａは封止され組み付けが完了する。
このように、操作部２１と表示部２５との間を電気的に接続する電線Ｌがヒンジ軸２７内を配索されているから、当該電線Ｌが操作部２１或いは表示部２５の傾動動作を邪魔することがない。
【００２３】
また、組み付けの際には、図５に示すように作業者が誤って幾らか傾いた斜め姿勢でコネクタ３１をヒンジ軸２７に差し込んでしまう場合があるが、仮に、このような斜め姿勢で組み付けがなされても、電線引きだし面３２には電線保護壁３５が形成されているからヒンジ軸２７の入り口２７Ａに対しては、常に電線保護壁３５が電線Ｌより先に突き当たる。従って、電線Ｌの前端部分が入り口２７Ａ部分に直接突き合ったり、或いは噛み込んでしまうことが未然に回避され、電線Ｌの保護に有効である。
【００２４】
加えて、このような電線保護壁３５をコネクタ３１と一体的に形成しているから部品点数が増加することがなく、低コスト化に寄与する。また、電線保護壁３５並びに案内片３６はいずれも電線引きだし面３２と対向する面が開口しているから、対向する面側に電線Ｌの上方を覆うような壁を設ける場合に比べて、電線Ｌの引きだし方向に関して電線保護壁３５の高さを低くすることが可能となり、コネクタの低背化にも寄与する。
【００２５】
尚、コネクタ３８には電線保護壁３５が形成されていないが、これは、コネクタ３８側ではヒンジ軸２７の入り口２７Ａに電線Ｌが噛み込むことがほとんどないためである。というもの、コネクタ３８はコネクタ３１の挿入動作の後に行われるから、コネクタ３８を挿入する際には、ヒンジ軸２７内に既に電線の一部が引き込まれた状態にあるためである。
【００２６】
＜実施形態２＞
次に、本発明の実施形態２を図６、図７によって説明する。
実施形態１ではコネクタ３１のヒンジ軸２７に対する挿入方向前側に電線保護壁３５を設けたが、実施形態２では案内片４５をコネクタ４０の前端まで延長させている。このように、案内片４５が電線Ｌの挿入方向前方まで延びていれば、ヒンジ軸２７に対するコネクタ４０の挿入動作の際には、図７に示すように電線Ｌより先に案内片４５の延出された部分４５Ａが差し込まれることとなる。従って、仮に、コネクタ４０が斜め姿勢であっても、組み付けの際に電線Ｌがヒンジ軸２７の入り口２７Ａに噛み込むことがなく、電線Ｌを保護することが出来る。      
【００２７】
また、コネクタ４０の挿入方向前部の厚さ方向に関する全幅に亘って電線保護壁３５を形成する場合に比べて（実施形態１の態様）、コネクタ前端部分の表面積が小さくなるからヒンジ軸２７に対するコネクタ４０の挿入性が向上する。尚、その他の構成については、実施形態１と同様であるため、同じ部品には同一符号を付し、説明は省略するものとする。
【００２８】
＜実施形態３＞
次に、本発明の実施形態３を図８ないし図１１によって説明する。
実施形態２では、電線引きだし面４２の縁部に沿って案内片４５を設けたが、実施形態３では、電線引きだし面５２の幅方向に関する中央部分に案内片５６を設け、その左右両側から電線Ｌを引き出すこととしている（図９参照）。
【００２９】
より具体的に説明すると、図８に示すように、コネクタ本体５１は横長なブロック状をなすとともにコネクタ本体５１の長手方向に複数個の電線収容室５３が形成されている。この電線収容室５３は、図９に示すように、コネクタ本体５１の幅方向に関しては左右２室が向かい合うようにして形成されている。これら電線収容室５３は隔壁５４によって隔てた状態とされるとともに、それぞれ外向きに（図９における側方）開口しており、同開口より電線Ｌを内部に引き入れることが出来るようになっている。
【００３０】
各電線収容室５３には端子金具５７が収容されている。端子金具５７はその上部側に外向きに屈曲する保持片５７Ａを設けており、電線収容室５３内に引き入れられた電線Ｌを保持するようになっている。また、電線収容室５３の上面側は電線引出し面５２とされる一方、隔壁５４は図９に示すように図示上方に延設されており、案内片５６を形成している。そのため、コネクタ本体５１に装着された電線Ｌは、電線引きだし面５２に形成される貫通孔より案内片５６に沿って上方に引き出され、その後、図１１に示すように、コネクタ５０の端部側（同図における左方）に約９０度屈曲される。
【００３１】
案内片５６は図１１に示すように、コネクタ５０の長さ方向に関して間欠的に形成され、その長さ寸法は隣り合う電線の外幅（図１１に示すＡ寸法）より若干広く設定されている。そして、各案内片５６の高さ寸法はその上縁５６Ａが、屈曲された電線Ｌのうち最も上側に位置する電線Ｌの高さ位置より上方に位置するような寸法設定とされている。そのため、同図に示すように、ヒンジ軸２７に対してコネクタ５０を挿入する際には、電線Ｌより先に案内片５６がヒンジ軸２７内に挿入されることとなる。
【００３２】
また、図１０に示す７０はケーシングであって、コネクタ本体５１を収容可能な箱型をなす。ケーシング７０は図示下方よりコネクタ本体５１に装着され、装着状態においては電線収容室５３の開口部分を閉止して、電線収容室５３に収容された電線Ｌを抜止めするよう機能する。尚、本実施形態において、各電線収容室５３に収容される電線Ｌは樹脂製の連結部材８５によって端部が繋がれており、各電線Ｌを一括した状態でコネクタ本体５１に対して装着することが出来るようになっている。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３４】
（１）実施形態１ないし実施形態３では、いずれも携帯電話を例示したが、ヒンジ軸２７或いは単なる貫通孔を介して接続される部材間を電気的に接続するものであれば、適用可能である。
【００３５】
（２）実施形態１では、コネクタ３１の電線引きだし面３２に電線保護壁３５並びに、案内片３６を設けたが、少なくとも電線保護壁３５（ヒンジ軸２７に対して電線より先に挿入されるような突部）が設けられていればよく、案内片３６は廃止してもよい。
【００３６】
（３）実施形態１では案内片３６を電線Ｌの一方側のみに設けたが、電線Ｌの左右両側に設けて電線Ｌの左右両側を取り囲むような構成としてもよい。
【図面の簡単な説明】
【００３７】
【図１】実施形態１に係る携帯電話の斜視図
【図２】操作部と表示部との間を電気的に接続する電線の配線を示す図
【図３】ヒンジ軸に対するコネクタの挿入動作を示す図
【図４】同じく、ヒンジ軸に対するコネクタの挿入動作を示す図
【図５】ヒンジ軸に対してコネクタが斜めに組まれた状態を示す図
【図６】実施形態２におけるコネクタの斜視図
【図７】ヒンジ軸に対するコネクタの挿入動作を示す図
【図８】実施形態３に係るコネクタ本体並びに電線の正面図
【図９】コネクタ本体に電線が組まれた状態を示す側面図
【図１０】コネクタ本体に対するケーシングの組み付け動作を示す図
【図１１】ヒンジ軸に対するコネクタの挿入動作を示す図
【図１２】従来例の斜視図
【符号の説明】
【００３８】
２１…操作部（第１部材）
２５…表示部（第２部材）
２７…ヒンジ軸
３１…コネクタ
３５…電線保護壁３５（ハーネス保護部）
【図１】
2005332739.tif 000003
【図２】
2005332739.tif 000004
【図３】
2005332739.tif 000005
【図４】
2005332739.tif 000006
【図５】
2005332739.tif 000007
【図６】
2005332739.tif 000008
【図７】
2005332739.tif 000009
【図８】
2005332739.tif 000010
【図９】
2005332739.tif 000011
【図１０】
2005332739.tif 000012
【図１１】
2005332739.tif 000013
【図１２】
2005332739.tif 000014